(57)【特許請求の範囲】
【請求項１】
少なくとも１つの光源を備える画像読取装置の制御回路であって、
前記光源に供給する電流値を調整するために用いるダミー回路と、
前記光源への電流の供給に先立って、前記ダミー回路に電流を供給して、当該光源に供給する電流値を調整するための電流切替を行って、当該光源の点消灯を制御する光源制御部と、
前記光源制御部によって前記光源を消灯させた状態で、画像データを読み取ることで、シェーディング補正に用いる黒基準データを作成する黒基準データ作成部と、
前記光源制御部によって前記光源を点灯させた状態で、画像データを読み取ることで、画像データを読み取る画像読取部と、
前記黒基準データを用いて、前記画像データのシェーディング補正を行うシェーディング補正部と、を備え、
前記黒基準データ作成部は、
前記光源制御部による前記電流切替によって前記画像データに付加されるノイズに相当するノイズを含む前記黒基準データを作成し、
前記シェーディング補正部は、
前記シェーディング補正を行うことにより、前記画像データに付加された前記ノイズを除去する、
ことを特徴とする画像読取装置の制御回路。
【請求項２】
請求項１に記載の画像読取装置の制御回路であって、
前記シェーディング補正には、
前記画像データと、前記黒基準データと、の差分を画素ごとに求める演算が含まれる、
ことを特徴とする画像読取装置の制御回路。
【請求項３】
請求項１又は２に記載の画像読取装置の制御回路であって、
前記光源は、赤色ＬＥＤと、緑色ＬＥＤと、青色ＬＥＤと、を含み、
前記光源制御部は、
前記電流切替を行う場合には、前記各ＬＥＤへの電流の供給に先立って、前記ダミー回路に電流を供給して、当該ＬＥＤに供給する電流値を調整する、
ことを特徴とする画像読取装置の制御回路。
【請求項４】
請求項１乃至３のいずれか１項に記載の画像読取装置の制御回路であって、
前記光源制御部と、前記黒基準データ作成部と、前記画像読取部とは、アナログフロントエンドを構成する同一の回路モジュールに配置されている、
ことを特徴とする画像読取装置の制御回路。
【請求項５】
画像を読み取る画像読取装置であって、
少なくとも１つの光源を備え、
前記光源に供給する電流値を調整するために用いるダミー回路と、
前記光源への電流の供給に先立って、前記ダミー回路に電流を供給して、当該光源に供給する電流値を調整するための電流切替を行って、当該光源の点消灯を制御する光源制御部と、
前記光源制御部によって前記光源を消灯させた状態で、画像データを読み取ることで、シェーディング補正に用いる黒基準データを作成する黒基準データ作成部と、
前記光源制御部によって前記光源を点灯させた状態で、画像データを読み取ることで、画像データを読み取る画像読取部と、
前記黒基準データを用いて、前記画像データのシェーディング補正を行うシェーディング補正部と、を備え、
前記黒基準データ作成部は、
前記光源制御部による前記電流切替によって前記画像データに付加されるノイズに相当するノイズを含む前記黒基準データを作成し、
前記シェーディング補正部は、
前記シェーディング補正を行うことにより、前記画像データに付加された前記ノイズを除去する、
ことを特徴とする画像読取装置。
【請求項６】
少なくとも１つの光源を備える画像読取装置の制御回路であって、
前記光源に供給する電流値を調整するために用いるダミー回路と、
前記光源への電流の供給に先立って、前記ダミー回路に電流を供給して、当該光源に供給する電流値を調整するための電流切替を行って、当該光源の点消灯を制御する光源制御部と、
前記光源制御部によって前記光源を点灯させた状態で、画像データを読み取ることで、画像データを読み取る画像読取部と、
前記光源制御部によって前記光源を消灯させた状態で、画像データを読み取ることで、当該光源制御部による前記電流切替によって前記画像データに付加されるノイズに相当するノイズを含み、シェーディング補正に用いる黒基準データを作成する黒基準データ作成部と、
前記黒基準データに付加されたノイズを用いて、前記画像データに付加されたノイズを除去するノイズ除去部と、
前記黒基準データを用いて、前記画像データのシェーディング補正を行うシェーディング補正部と、を備える、
ことを特徴とする画像読取装置の制御回路。
【請求項７】
少なくとも１つの光源を備える画像読取装置の制御回路であって、
前記光源に供給する電流値を調整するために用いるダミー回路と、
前記光源への電流の供給に先立って、前記ダミー回路に電流を供給して、当該光源に供給する電流値を調整するための電流切替を行って、当該光源の点消灯を制御する光源制御部と、
前記光源制御部によって前記光源を点灯させた状態で、画像データを読み取ることで、画像データを読み取る画像読取部と、
前記光源制御部によって前記光源を消灯させた状態で、画像データを読み取ることで、シェーディング補正に用いる黒基準データを、前記電流切替によって前記画像データに付加されるノイズに相当するノイズを付加して作成し、
前記黒基準データに付加されたノイズを用いて、前記画像データに付加されたノイズを除去し、
前記黒基準データを用いて、前記画像データのシェーディング補正を行うデータ処理部と、を備える、
ことを特徴とする画像読取装置の制御回路。
【請求項８】
少なくとも１つの光源を備える画像読取装置の制御方法であって、
前記画像読取装置は、
前記光源への電流の供給に先立って、前記光源に供給する電流値を調整するためのダミー回路に電流を供給して、当該光源に供給する電流値を調整するための電流切替を行って、当該光源の点消灯を制御する光源制御部を有しており、
前記光源制御部によって前記光源を消灯させた状態で、画像データを読み取ることで、シェーディング補正に用いる黒基準データを作成する黒基準データ作成ステップと、
前記光源制御部によって前記光源を点灯させた状態で、画像データを読み取ることで、画像データを読み取る画像読取ステップと、
前記黒基準データを用いて、前記画像データのシェーディング補正を行うシェーディング補正ステップと、を行い、
前記黒基準データ作成ステップでは、
前記光源制御部による前記電流切替によって前記画像データに付加されるノイズに相当するノイズを含む前記黒基準データを作成し、
前記シェーディング補正ステップでは、
前記シェーディング補正を行うことにより、前記画像データに付加された前記ノイズを除去する、
ことを特徴とする画像読取装置の制御方法。
【請求項９】
コンピュータを、少なくとも１つの光源を備える画像読取装置の制御回路として機能させるためのプログラムであって、
前記光源に供給する電流値を調整するために用いるダミー回路と、
前記光源への電流の供給に先立って、前記ダミー回路に電流を供給して、当該光源に供給する電流値を調整するための電流切替を行って、当該光源の点消灯を制御する光源制御部と、
前記光源制御部によって前記光源を消灯させた状態で、画像データを読み取ることで、シェーディング補正に用いる黒基準データを作成する黒基準データ作成部と、
前記光源制御部によって前記光源を点灯させた状態で、画像データを読み取ることで、画像データを読み取る画像読取部と、
前記黒基準データを用いて、前記画像データのシェーディング補正を行うシェーディング補正部と、を備え、
前記黒基準データ作成部は、
前記光源制御部による前記電流切替によって前記画像データに付加されるノイズに相当するノイズを含む前記黒基準データを作成し、
前記シェーディング補正部は、
前記シェーディング補正を行うことにより、前記画像データに付加された前記ノイズを除去する、
画像読取装置の制御回路として機能させるためのプログラム。
【発明の詳細な説明】
【技術分野】
【０００１】
本発明は、画像読取装置の制御回路、画像読取装置、画像読取装置の制御方法、および
、プログラムに関する。
【背景技術】
【０００２】
一般的に、画像読取装置は、モノクロ画像の読み取り時において、キャリッジに備わる
複数の光源（例えば、赤色ＬＥＤ、緑色ＬＥＤ、青色ＬＥＤ）を、順次、点灯させている
。このとき、点灯させる光源に電流を供給する前に、ダミー回路に電流を供給して、光源
に供給する電流値を調整することができる。
【０００３】
例えば、特許文献１には、白黒原稿を読み取る際に、カラー原稿読み取り時と同一のデ
ューティで各ＬＥＤを点灯させ、かつ、各ＬＥＤの点灯時間を１／３にすることによって
、白黒原稿、および、カラー原稿の両読み取り時において、各ＬＥＤに供給する電流を同
一にすることについて記載されている。特許文献１に記載される技術を用いれば、上述の
通り、ダミー回路に電流を供給して、キャリッジに備わる各ＬＥＤに供給する電流値を調
節することもできる。
【特許文献１】特開２００２−２３７９２９号
【発明の開示】
【発明が解決しようとする課題】
【０００４】
しかし、読み取った画像をデジタル変換出力するＡＦＥ（アナログフロントエンド）に
、光源制御回路が内蔵されている場合には、各光源やダミー回路への電流供給の切り替え
にともなって、ＡＦＥから出力されるデジタルデータにノイズが付加されてしまう。
【０００５】
本発明は、光源やダミー回路への電流供給の切り替えによる画像データへのノイズを軽
減させる技術を提供する。
【課題を解決するための手段】
【０００６】
上記課題を解決するための本願発明の画像読取装置の制御回路は、少なくとも１つの光
源を備える画像読取装置の制御回路であって、前記光源に供給する電流値を調整するため
の電流切替を行って、当該光源の点消灯を制御する光源制御部と、前記光源制御部による
制御にともなって、シェーディング補正に用いる黒基準データを作成する黒基準データ作
成部と、前記光源制御部による制御にともなって、画像データを読み取る画像読取部と、
前記黒基準データを用いて、前記画像データのシェーディング補正を行うシェーディング
補正部と、を備え、前記黒基準データ作成部は、前記電流切替によって前記画像データに
付加されるノイズに相当するノイズを、前記黒基準データに付加し、前記シェーディング
補正部は、前記シェーディング補正を行うことにより、前記画像データに付加された前記
ノイズを除去する。
【発明の効果】
【０００７】
本発明の制御回路によれば、光源やダミー回路への電流供給の切り替えによる画像デー
タへのノイズを軽減させることができる。
【発明を実施するための最良の形態】
【０００８】
以下、本発明の実施形態の一例を図面を参照して説明する。
【０００９】
図１は、本発明の実施形態が適用された画像読取装置５０の概略構成図を示す。
【００１０】
画像読取装置５０は、筐体の上面に原稿台（図示せず）を備えた、いわゆるフラットベ
ッド型画像読取装置である。画像読取装置５０は、イメージセンサ２２０を走査して、透
明板の原稿台に載置された原稿の画像を読み取る。
【００１１】
画像読取装置５０は、図示するように、ＬＥＤ光源２１０及びイメージセンサ２２０を
搭載したキャリッジ２００と、キャリッジ２００の移動を制御する駆動機構３００と、画
像読取装置５０の全体を制御し、画像を読み取るための種々の処理を行う制御部１００と
、を備えている。
【００１２】
キャリッジ２００は、イメージセンサ２２０を、ＬＥＤ光源２１０とともに副走査方向
に運搬する。キャリッジ２００は、原稿台の盤面に対し平行なガイド用のシャフト等にス
ライド自在に係止されており、駆動機構３００のモータにより回転するベルトにより牽引
される。キャリッジの２００の移動量は、駆動機構３００のモータの回転量に応じてパル
スを出力するエンコーダの出力値により制御される。
【００１３】
また、キャリッジ２００は、一般的なシェーディング補正を行うために使用する白基準
データを生成するための機構を有している。例えば、キャリッジ２００は、白基準データ
を生成するための機構として、銀色の反射板、導光体などを備えている。また、一般的な
シェーディング補正には黒基準データも使用されるが、キャリッジ２００は、黒基準デー
タを生成するための特別な機構を備えない。黒基準データを生成する場合、キャリッジ２
００は、例えば、ＬＥＤ光源２１０を消灯させた状態で画像データを読み取り、黒基準デ
ータを生成する。
【００１４】
ＬＥＤ光源２１０は、赤色ＬＥＤ、緑色ＬＥＤ、青色ＬＥＤからなり、ＲＧＢの３色の
光を順に発生する。
【００１５】
イメージセンサ２２０は、原稿に反射した光を受光し、受光量に応じた電荷を蓄積し、
画像の読み取り信号（アナログデータ）として、制御部１００に送る。
【００１６】
イメージセンサ２２０は、主走査方向に並んだ複数のセンサチップからなる。各センサ
チップは、通常のＣＣＤセンサ（Charge Coupled Device）イメージセンサと同様の構成
を備えている。なお、イメージセンサ２２０は、２次元イメージセンサであってもよい。
また、イメージセンサ２２０は、ＣＭＯＳイメージセンサなどでもよい。
【００１７】
制御部１００は、イメージセンサ２２０から出力されたアナログデータをデジタルデー
タに変換するＡ／Ｄ変換部１１０と、Ａ／Ｄ変換部１１０から出力されたデジタルデータ
に対して各種補正を行うデジタルデータ処理部１３０と、デジタルデータ処理部１３０が
各種補正を行うためのデジタルデータを記憶する記憶部１４０と、デジタルデータ処理部
１３０からのデータをパーソナルコンピュータなどのホストに送るための出力部１５０と
、制御部１００内の機能部を全体的に制御するとともに、駆動機構３００を制御する読取
制御部１２０と、を備えている。
【００１８】
Ａ／Ｄ変換部１１０は、例えば、アナログフロントエンドＩＣ（Integrated Circuit）
からなり、イメージセンサ２２０から出力されたアナログデータ（読み取りデータ）を、
デジタルデータに変換する変換部１１１を有する。そして、変換部１１１で変換されたデ
ジタルデータは、後述するデジタルデータ処理部１３０に出力される。
【００１９】
また、Ａ／Ｄ変換部１１０は、キャリッジ２００内のＬＥＤ光源２１０の点消灯（点灯
・消灯）や、ＬＥＤ光源２１０に供給する電流値の調節などを行うＬＥＤ駆動部１１３を
有する。さらに、Ａ／Ｄ変換部１１０は、ＬＥＤ駆動部１１３にＬＥＤ光源２１０の制御
の指示を送るＬＥＤ制御部１１２を有する。
【００２０】
図２は、ＬＥＤ制御部１１２、ＬＥＤ駆動部１１３、及び、ＬＥＤ光源２１０の詳細な
構成図を示す。
【００２１】
図示するように、ＬＥＤ駆動部１１３は、各ＬＥＤ（赤色ＬＥＤ２１１Ｒ、緑色ＬＥＤ
２１１Ｇ、青色ＬＥＤ２１１Ｂ）に電流を流すか否かを決定する（点消灯を決定する）専
用のスイッチ（赤色ＬＥＤ専用スイッチ１１４Ｒ、緑色ＬＥＤ専用スイッチ１１４Ｇ、青
色ＬＥＤ専用スイッチ１１４Ｂ）を備えている。赤色ＬＥＤ専用スイッチ１１４Ｒは、赤
色ＬＥＤ２１１Ｒと、電源とグランドとの間において直列に接続される。同様に、緑色Ｌ
ＥＤ専用スイッチ１１４Ｇは、緑色ＬＥＤ２１１Ｇと、電源とグランドとの間において直
列に接続され、青色ＬＥＤ専用スイッチ１１４Ｂは、青色ＬＥＤ２１１Ｂと、電源とグラ
ンドの間において直列に接続される。
【００２２】
また、ＬＥＤ駆動部１１３は、各ＬＥＤ（２１１Ｒ、２１１Ｇ、２１１Ｂ）に供給する
電流値を調整するために用いるダミー回路１１５を備えている。ダミー回路１１５は、電
源とグランドの間において、各ＬＥＤ（２１１Ｒ、２１１Ｇ、２１１Ｂ）と、並列に接続
される。ダミー回路１１５は、例えば、抵抗回路やスイッチを有する回路群で構成される
。
【００２３】
また、ＬＥＤ駆動部１１３は、検流計１１６を備えている。検流計１１６は、赤色ＬＥ
Ｄ２１１Ｒ、緑色ＬＥＤ２１１Ｇ、青色ＬＥＤ２１１Ｂ、ダミー回路１１５のそれぞれに
対して、直列に接続される。
【００２４】
ＬＥＤ制御部１１２は、例えば、カレントＤＡＣ（Digital to Analog Converter）に
より構築され、ＬＥＤ駆動部１１３を制御して、電流を供給するユニット（赤色ＬＥＤ２
１１Ｒ、緑色ＬＥＤ２１１Ｇ、青色ＬＥＤ２１１Ｂ、ダミー回路１１５）を切り替える。
具体的には、ＬＥＤ制御部１１２は、後述する読取制御部１２０から供給される指示信号
に従って、ＬＥＤ駆動部１１３内の各スイッチ（１１４Ｒ、１１４Ｇ、１１４Ｂ、１１５
）を切り替える制御信号（点線）や、検流計１１６に流れている電流値を取得する制御信
号（点線）を、ＬＥＤ駆動部１１３に供給する。
【００２５】
このようなＬＥＤ制御部１１２は、図示するように、電流調節部１１７と、スイッチ制
御部１１８と、を有する。
【００２６】
電流調節部１１７は、各ＬＥＤ（２１１Ｒ、２１１Ｇ、２１１Ｂ）に供給する電流値を
調節する。具体的には、電流調節部１１７は、各ＬＥＤ（２１１Ｒ、２１１Ｇ、２１１Ｂ
）への電流供給に先だって、ダミー回路１１５に電流を供給し、検流計１１６からの出力
値に基づいて、ダミー回路１１５に供給する電流値を調節する。このとき、例えば、電流
調節部１１７は、専用のレジスタ（図示せず）などに予め格納されている電流値（デジタ
ルデータ）に、ダミー回路１１５に供給する電流値を一致させるように調節を行う。或い
は、電流調節部１１７は、専用のレジスタ（図示せず）などに予め格納されているマスク
期間（ダミー回路１１５に供給する電流値が所定値に一致するまでの期間）中、ダミー回
路１１５への電流供給を続けることによって、ダミー回路１１５に供給する電流値の調節
を行う。
【００２７】
ここで、電流調節部１１７が各ＬＥＤ（２１１Ｒ、２１１Ｇ、２１１Ｂ）への電流供給
に先だって、ダミー回路１１５に電流を供給する主な理由は、各ＬＥＤ（２１１Ｒ、２１
１Ｇ、２１１Ｂ）に安定した電流を供給するためである。
【００２８】
また、別の理由としては、各ＬＥＤ（２１１Ｒ、２１１Ｇ、２１１Ｂ）と、ダミー回路
１１５と、に交互に電流を供給することにより、電源（電流）変動を抑え、ＡＤ変換回路
等のアナログ回路への電源変動による悪影響を軽減するためである。
【００２９】
スイッチ制御部１１８は、ＬＥＤ駆動部１１３内の各スイッチ（１１４Ｒ、１１４Ｇ、
１１４Ｂ）及びダミー回路１１５のスイッチに制御信号を供給し、オン・オフを制御する
。電流調節部１１８がダミー回路１１５に供給している電流値を調節した後、スイッチ制
御部１１８が各スイッチ（１１４、１１５）のオン・オフを切り替えることによって、調
節された後の電流値の電流を各ＬＥＤ（２１１Ｒ、２１１Ｇ、２１１Ｂ）に供給すること
ができる。
【００３０】
図３は、キャリッジ２００が画像データを１ライン分読み込む時における、各スイッチ
（１１４Ｒ、１１４Ｇ、１１４Ｂ）及びダミー回路１１５のスイッチの制御手順を説明す
るための図である。また、図４は、各スイッチ（１１４Ｒ、１１４Ｇ、１１４Ｂ）及びダ
ミー回路１１５のスイッチを制御する制御信号の供給タイミングを示すタイミングチャー
トである。
【００３１】
（ＳＴＡＴＥ１）
スイッチ制御部１１８は、読取制御部１２０からの読み込み開始の指示（ＬＥＤ＿ＳＴ
ＡＲＴオン）を受け付けて、所定数のクロックが供給された後、図３に示すように、赤色
ＬＥＤ専用スイッチ１１４Ｒ、緑色ＬＥＤ専用スイッチ１１４Ｇ、青色ＬＥＤ専用スイッ
チ１１４Ｂを全てオフのまま、ダミー回路１１５のスイッチをオンにする（図４のタイミ
ングＡ、Ｂ）。
【００３２】
ダミー回路１１５のスイッチがオンにされた後、電流調節部１１７は、検流計１１６か
らダミー回路１１５に流れている電流値を取得しながら、ダミー回路１１５に供給してい
る電流値が、赤色ＬＥＤ２１１Ｒに供給すべき所定の電流値になるように調節する。
【００３３】
（ＳＴＡＴＥ２）
電流値の調節後、スイッチ制御部１１８は、図３に示すように、ダミー回路１１５のス
イッチをオフにするとともに、赤色ＬＥＤ専用スイッチ１１４Ｒをオンにする。これによ
り、赤色ＬＥＤ２１１Ｒには、直前までダミー回路１１５に供給されていた電流値の電流
が供給され、赤色ＬＥＤ２１１Ｒは、所定の輝度で点灯する。
【００３４】
（ＳＴＡＴＥ３）
所定時間、赤色ＬＥＤ２１１Ｒを連続して点灯させた後、スイッチ制御部１１８は、ダ
ミー回路１１５のスイッチを再びオンにするとともに、赤色ＬＥＤ専用スイッチ１１４Ｒ
をオフにする。これにより、直前まで赤色ＬＥＤ２１１Ｒに供給されていた電流値の電流
が、ダミー回路１１５に供給される。その後、スイッチ制御部１１８は、ダミー回路１１
５のスイッチを一旦オフにして、ダミー回路１１５に供給している電流値をリセットする
（図４のタイミングＣ、Ｄ）。そして、スイッチ制御部１１８は、再度、ダミー回路１１
５のスイッチをオンにする（図４のタイミングＥ、Ｆ）。
【００３５】
ダミー回路１１５のスイッチがオンにされた後、電流調節部１１７は、検流計１１６か
らダミー回路１１５に流れている電流値を取得しながら、ダミー回路１１５に供給してい
る電流値が、緑色ＬＥＤ２１１Ｇに供給すべき所定の電流値になるように調節する。
【００３６】
（ＳＴＡＴＥ４）
電流値の調節後、次に、スイッチ制御部１１８は、ダミー回路１１５のスイッチをオフ
にするとともに、緑色ＬＥＤ専用スイッチ１１４Ｇをオンにする。これにより、緑色ＬＥ
Ｄ２１１Ｇには、直前までダミー回路１１５に供給されていた電流値の電流が供給され、
緑色ＬＥＤ２１１Ｇは、所定の輝度で点灯する。
【００３７】
（ＳＴＡＴＥ５）
所定時間、緑色ＬＥＤ２１１Ｇを連続して点灯させた後、スイッチ制御部１１８は、Ｓ
ＴＡＴＥ３での制御と同様に、ダミー回路１１５に供給している電流値をリセットし（図
４のタイミングＧ、Ｈ）、そして、青色ＬＥＤ２１１Ｂに供給すべき所定の電流値になる
ように調節する（図４のタイミングＩ、Ｊ）。
【００３８】
（ＳＴＡＴＥ６）
電流値の調節後、次に、スイッチ制御部１１８は、ダミー回路１１５のスイッチをオフ
にするとともに、青色ＬＥＤ専用スイッチ１１４Ｂをオンにする。これにより、青色ＬＥ
Ｄ２１１Ｂには、直前までダミー回路１１５に供給されていた電流値の電流が供給され、
青色ＬＥＤ２１１Ｂは、所定の輝度で点灯する。
【００３９】
所定時間、青色ＬＥＤ２１１Ｂを連続して点灯させた後、スイッチ制御部１１８は、ダ
ミー回路１１５のスイッチを再びオンにするとともに、青色ＬＥＤ専用スイッチ１１４Ｂ
をオフにする。そして、１ライン分の画像データを読み込み終了前に、スイッチ制御部１
１８は、ダミー回路１１５のスイッチをオフにする（図４のタイミングＫ、Ｌ）。
【００４０】
以上の制御手順により、ＬＥＤ制御部１１２は、１ライン分の画像データを読み込む時
において、各ＬＥＤ（２１１Ｒ、２１１Ｂ、２１１Ｇ）の点消灯を制御する。
【００４１】
また、ここで、各ＬＥＤ（２１１Ｒ、２１１Ｂ、２１１Ｇ）の点灯時間は、色によって
異なる。ＲＧＢ（３色）の輝度ならびにセンサの感度には、色による違い及びばらつきが
あるので、点灯時間を同じにすると、各色の光電変換された出力電荷量が等しくならない
からである。したがって、ＲＧＢ（３色）の輝度ならびにセンサの感度に応じて、点灯時
間が異なるように設定されている。
【００４２】
また、上記のタイミングＡ〜Ｌにおいて、変換部１１１がデジタルデータ処理部１３０
に出力している画像データにノイズが付加されることが知られている。これは、電流を供
給するユニット（赤色ＬＥＤ２１１Ｒ、緑色ＬＥＤ２１１Ｇ、青色ＬＥＤ２１１Ｂ、ダミ
ー回路１１５）の切り替えに伴うノイズである。
【００４３】
そして、ＬＥＤ制御部１１２は、黒基準データを読み込む場合においても、画像データ
を読み込む場合と同様の制御により、電流をダミー回路１１５に供給する。これにより、
キャリッジ２００で読み込まれる黒基準データには、画像データの読み込み時に付加され
るノイズに相当するノイズが、付加される。
【００４４】
従って、本願のダミー回路１１５は、各ＬＥＤ（２１１Ｒ、２１１Ｇ、２１１Ｂ）に供
給する電流を安定させるためや、電源変動による悪影響を軽減させるために用いられると
ともに、黒基準データに上記のノイズを付加するためにも用いられる。そのため、目的ご
とに別個の回路（構成）を設ける必要がない。
【００４５】
図１に戻り、読取制御部１２０は、駆動機構３００を制御してキャリッジ２００の移動
を制御する。また、読取制御部１２０は、イメージセンサ２２０の画像読み取り動作（黒
基準データ、白基準データの読み取り動作も含む）を制御する。具体的には、イメージセ
ンサ２２０が読み取ったデータのＡ／Ｄ変換部１１０への転送のタイミングを制御する。
さらに、読取制御部１２０は、Ａ／Ｄ変換部１１０（変換部１１１、ＬＥＤ制御部１１２
）の動作を制御する。
【００４６】
デジタルデータ処理部１３０は、Ａ／Ｄ変換部１１０の変換部１１１から出力されたデ
ジタルデータにシェーディング補正などの各種補正を施して、出力部１５０に出力する。
例えば、シェーディング補正を行う場合、デジタルデータ処理部１３０は、変換部１１１
から出力された画像データ、黒基準データ、白基準データを、それぞれ、後述する記憶部
１４０に記憶し、対応する画素ごとに、下記の数式１の式に従うシェーディング補正を行
う。数式１は、画像データ全体が平均的に一様な明るさとなるようにする演算式であり、
画像データと黒基準データとの差分を求める演算を含む。ここで、黒基準データには、上
述したように、画像データに付加されるノイズと同様のノイズが付加されている。そのた
め、シェーディング補正時に、画像データと黒基準データとの差分を求めることで、画像
データに付加されたノイズを除去できる。補正後、デジタルデータ処理部１３０は、補正
済みの画像データを、出力部１５０に出力する。
Ｄｏｕｔ（ｎ）＝ｋ・｛Ｄｉｎ（ｎ）−Ｋ（ｎ）｝／Ｗ（ｎ）・・・（数式１）
但し、「ｋ」：係数、「Ｄｉｎ（ｎ）」：ｎ画素目の画像データ、「Ｋ（ｎ）」：ｎ画
素目の黒基準データ、「Ｗ（ｎ）」：ｎ画素目の白基準データ、「Ｄｏｕｔ（ｎ）」：ｎ
番目の補正済みデータとする。
【００４７】
記憶部１４０は、デジタルデータ処理部１３０が各種補正処理を行うためのデータを記
憶する。具体的には、記憶部１４０は、補正前の画像データを記憶する画像データＤＢ（
データベース）１４１と、黒基準データを記憶する黒基準データＤＢ１４２と、白基準デ
ータを記憶する白基準データＤＢ１４３と、を有する。
【００４８】
出力部１５０は、ネットワーク接続やＵＳＢ接続を行うためのインタフェースを備え、
デジタルデータ処理部１３０から出力されたデジタルデータを、ホストコンピュータに送
信する。
【００４９】
本実施形態が適用された画像読取装置５０は、以上のような構成からなる。ただし、画
像読取装置５０の構成はこれに限定されない。例えば、画像読取装置５０は、さらにプリ
ント機能や、ファクシミリ機能を有する複合機であってもよい。
【００５０】
また、上記した各構成要素は、画像読取装置５０の構成を理解容易にするために、主な
処理内容に応じて分類したものである。構成要素の分類の仕方や名称によって、本願発明
が制限されることはない。画像読取装置５０の構成は、処理内容に応じて、さらに多くの
構成要素に分類することもできる。また、１つの構成要素がさらに多くの処理を実行する
ように分類することもできる。また、各構成要素の処理は、１つのハードウェアで実行さ
れてもよいし、複数のハードウェアで実行されてもよい。
【００５１】
次に、上記構成からなる画像読取装置５０の特徴的な動作について説明する。図５は、
画像読取装置５０が行う画像読取処理を示すフローチャートである。
【００５２】
画像読取装置５０の制御部１００は、ユーザから画像読取処理の開始の指示を受け付け
た時に、画像読取処理を開始する。ここで、ユーザの指示は、ホストコンピュータ又は画
像読取装置５０に備わる入力装置（図示せず）を介して、受け付ける。
【００５３】
画像読取処理を開始後、制御部１００は、白基準データを作成する（ステップＳ１０１
）。具体的には、まず、読取制御部１２０が、ＬＥＤ制御部１１２に指示信号を供給して
、ＬＥＤ光源２１０の全ＬＥＤを点灯させる。このタイミングで、イメージセンサ２２０
は、読取制御部１２０からの制御信号に応じて、白基準データ取得用の反射板に反射した
光を受光する。そして、イメージセンサ２２０は、受光量に応じた電荷を蓄積して、白基
準データ（アナログデータ）として、変換部１１１に送る。このとき、変換部１１１は、
受け付けた白基準データをデジタルデータに変換し、デジタルデータ処理部１３０に送る
。そして、デジタルデータ処理部１３０は、送られてきた白基準データ（デジタルデータ
）を、白基準データＤＢ１４３に記憶する。
【００５４】
続いて、制御部１００は、黒基準データを作成する（ステップＳ１０２）。具体的には
、読取制御部１２０が、ＬＥＤ光源２１０を消灯させた状態で、イメージセンサ２２０に
画像データを読み取らせ、黒基準データを生成する。
【００５５】
例えば、図６は、制御部１００が黒基準データを作成する場合における、各スイッチ（
１１４Ｒ、１１４Ｇ、１１４Ｂ）及びダミー回路１１５のスイッチを制御する制御信号の
供給タイミングを示すタイミングチャートである。
【００５６】
（ＳＴＡＴＥ１）
スイッチ制御部１１８は、画像データを読み込む場合と同様に、読取制御部１２０から
の読み込み開始の指示（ＬＥＤ＿ＳＴＡＲＴオン）を受け付け、所定数のクロックが供給
された後、図示するように、ＬＥＤ駆動部１１３の赤色ＬＥＤ専用スイッチ１１４Ｒ、緑
色ＬＥＤ専用スイッチ１１４Ｇ、青色ＬＥＤ専用スイッチ１１４Ｂを全てオフのまま、ダ
ミー回路１１５のスイッチをオンにする（画像データを読み込む場合と一致するタイミン
グＡ、Ｂ）。
【００５７】
（ＳＴＡＴＥ２）
スイッチ制御部１１８は、ＬＥＤ駆動部１１３の赤色ＬＥＤ専用スイッチ１１４Ｒ、緑
色ＬＥＤ専用スイッチ１１４Ｇ、青色ＬＥＤ専用スイッチ１１４Ｂを全てオフのまま、所
定時間、ダミー回路１１５に電流を供給する。
【００５８】
（ＳＴＡＴＥ３）
その後、スイッチ制御部１１８は、画像データを読み込む場合と一致するタイミングＣ
、Ｄで、ダミー回路１１５のスイッチを一旦オフする（タイミングＣ、Ｄ）。そして、ス
イッチ制御部１１８は、画像データを読み込む場合と一致するタイミングＥ、Ｆで、再度
、ダミー回路１１５のスイッチをオンにする（タイミングＥ、Ｆ）。
【００５９】
（ＳＴＡＴＥ４）
そして、スイッチ制御部１１８は、ＬＥＤ駆動部１１３の赤色ＬＥＤ専用スイッチ１１
４Ｒ、緑色ＬＥＤ専用スイッチ１１４Ｇ、青色ＬＥＤ専用スイッチ１１４Ｂを全てオフの
まま、所定時間、ダミー回路１１５に電流を供給する。
【００６０】
（ＳＴＡＴＥ５、６）
供給後、スイッチ制御部１１８は、ＳＴＡＴＥ３、ＳＴＡＴＥ４と同様の制御を行う。
【００６１】
以上のスイッチの制御を行っている間（ＳＴＡＴＥ１〜６）、イメージセンサ２２０は
、受光量に応じた電荷を蓄積し、黒基準データ（アナログデータ）として、変換部１１１
に供給し続ける。このとき、変換部１１１は、受け付けた黒基準データをデジタルデータ
に変換し、デジタルデータ処理部１３０に送る。そして、デジタルデータ処理部１３０は
、送られてきた黒基準データ（デジタルデータ）を、黒基準データＤＢ１４２に記憶する
。
【００６２】
これにより、ステップＳ１０２で作成した黒基準データには、後続するステップＳ１０
３の画像データ読み込み時に画像データに付加されるノイズと同様のノイズが、前もって
付加される。
【００６３】
続いて、制御部１００は、原稿台に載置されている原稿の画像データを読み取る（ステ
ップＳ１０３）。具体的には、読取制御部１２０が、ＬＥＤ光源２１０及びＬＥＤ駆動部
１１３を、図３、図４に示した手順に従って制御し、イメージセンサ２２０に画像データ
を読み取らせる。イメージセンサ２２０は、受光量に応じた電荷を蓄積し、画像データ（
アナログデータ）として、変換部１１１に供給する。このとき、変換部１１１は、受け付
けた画像データをデジタルデータに変換し、デジタルデータ処理部１３０に送る。そして
、デジタルデータ処理部１３０は、送られてきた画像データ（デジタルデータ）を、画像
データＤＢ１４１に記憶する。
【００６４】
ここで、図７は、ステップＳ１０２で作成した黒基準データと、ステップＳ１０３で読
み取った画像データのイメージ図を示す。図示するように、黒基準データと、画像データ
とには、それぞれ対応する位置（例えば、対応する画素）に、同様のノイズが付加されて
いる。
【００６５】
図５に戻り、次に、制御部１００は、ステップＳ１０３で読み込んだ画像データに対し
て、シェーディング補正を施す（ステップＳ１０４）。具体的には、デジタルデータ処理
部１３０が、数式１に示す演算式を用いて、画像データＤＢ１４１に記憶されている画像
データにシェーディング補正を施す。例えば、デジタルデータ処理部１３０は、画像デー
タＤＢ１４１に記憶されている画像データのｎ番目の画素と、黒基準データＤＢ１４２に
記憶されている黒基準データのｎ番目の画素と、白基準データＤＢ１４３に記憶されてい
る白基準データのｎ番目の画素と、を演算用のメモリに読み出し、数式１の演算を実行す
る。そして、画像データを構成する全画素に対して、画素ごとに、数式１の演算を実行す
る。このとき、数式１の演算には、画像データと黒基準データとの差分を求める演算が含
まれているため、画像データに付加されたノイズは、図７に示すように、数式１の演算に
よって除去される。
【００６６】
続いて、制御部１００は、シェーディング補正を含む各種補正を施した後の画像データ
を、ホストコンピュータに出力する（ステップＳ１０５）。
【００６７】
画像データの出力後、制御部１００は、画像読取処理を終了する。このとき、画像デー
タを受け付けたホストコンピュータは、ホストコンピュータに接続されているディスプレ
イ（図示せず）に、画像読取装置５０から出力された画像データを表示する処理などを行
う。
【００６８】
以上の画像読取処理を、画像読取装置５０が行うことによって、光源（赤色ＬＥＤ２１
１Ｒ、緑色ＬＥＤ２１１Ｇ、青色ＬＥＤ２１１Ｂ）やダミー回路１１５への電流供給の切
り替えによる画像データへのノイズを軽減させることができる。
【００６９】
なお、本発明は、上記実施形態に限定されず、種々の変形、応用が可能である。
【００７０】
例えば、上記実施形態では、シェーディング補正に、数式１に示す演算式を用いている
。しかし、本発明は、シェーディング補正を行う演算に、画像データと黒基準データとの
差分を求める演算が含まれていればよく、これに限定されない。また、画像データと黒基
準データとの差分を求める演算を行うものであれば、シェーディング補正でなくともよい
。
【００７１】
また、上記実施形態では、ＬＥＤ光源２１０は、赤色ＬＥＤ２１１Ｒ、緑色ＬＥＤ２１
１Ｇ、青色ＬＥＤ２１１Ｂからなり、ＲＧＢの３色の光を発生させている。しかし、本発
明は、これに限定されない。例えば、ＬＥＤ光源２１０には、白色ＬＥＤを用いてもよい
。
【００７２】
また、本発明は、ＣＩＳ方式の画像読取装置に限定されない。光学縮小方式（いわゆる
、ＣＣＤ方式）の画像読取装置に適用することもできる。
【図面の簡単な説明】
【００７３】
【図１】本発明の実施形態に係る画像読取装置の概略構成図である。
【図２】ＬＥＤ制御部、ＬＥＤ駆動部、及び、ＬＥＤ光源の詳細な構成図である。
【図３】画像データ読み込み時における、ＬＥＤ駆動部の制御手順を説明するための説明図である。
【図４】画像データ読み込み時における、ＬＥＤ駆動部を制御する制御信号の供給タイミングを示すタイミングチャートである。
【図５】画像読取装置が行う画像読取処理を説明するためのフローチャートである。
【図６】黒基準データ作成時における、ＬＥＤ駆動部を制御する制御信号の供給タイミングを示すタイミングチャートである。
【図７】シェーディング補正において画像データのノイズを除去する概念を説明するための説明図である。
【符号の説明】
【００７４】
５０・・・画像読取装置、１００・・・制御部、１１０・・・Ａ／Ｄ変換部、１１１・・
・変換部、１１２・・・ＬＥＤ制御部、１１３・・・ＬＥＤ駆動部、１１４Ｒ・・・赤色
ＬＥＤ専用スイッチ、１１４Ｇ・・・緑色ＬＥＤ専用スイッチ、１１４Ｂ・・・青色ＬＥ
Ｄ専用スイッチ、１１５・・・ダミー回路、１１６・・・検流計、１１７・・・電流調節
部、１１８・・・スイッチ制御部、１２０・・・読取制御部、１３０・・・デジタルデー
タ処理部、１４０・・・記憶部、１４１・・・画像データＤＢ、１４２・・・黒基準デー
タＤＢ、１４３・・・白基準データＤＢ、１５０・・・出力部、２００・・・キャリッジ
、２１０・・・ＬＥＤ光源、２１１Ｒ・・・赤色ＬＥＤ、２１１Ｇ・・・緑色ＬＥＤ、２
１１Ｂ・・・青色ＬＥＤ、２２０・・・イメージセンサ、３００・・・駆動機構。
【図１】
0005262700.tif 000002
【図２】
0005262700.tif 000003
【図３】
0005262700.tif 000004
【図４】
0005262700.tif 000005
【図５】
0005262700.tif 000006
【図６】
0005262700.tif 000007
【図７】
0005262700.tif 000008